(57)【要約】【課題】コード変更前後での解錠キーの互換性付与を不可能にすることにより防犯性能を高めたコード可変シリンダ錠の提供を目的とする。【解決手段】解錠キー１を挿入するキー挿入凹部２に開放されるタンブラ収容孔３内にピン状のタンブラ４を収容したプラグ５をシリンダケース６内に挿入してなり、前記タンブラ４上に積層されてプラグ５に保持されるコード変更体７をプラグ５とシリンダケース６との回転境界に凹設された変更体格納凹部８に移動させて解錠コードを変更するコード可変シリンダ錠１０であって、  前記タンブラ４は、キー挿入凹部２のタンブラ収容孔３開放壁面に一端が位置した際に他端がタンブラ収容孔３内に位置する長さに形成され、  コード変更後、解錠キー１に組み込まれ、前記キー挿入凹部２を通過可能で、かつ、前記タンブラ４の移動方向に移動自在なタンブラ駆動体９により一端がシリンダケース６の回転境界に位置する解錠位置に駆動される。【選択図】  図４
2007270543.tif 000002
【特許請求の範囲】
【請求項１】
解錠キーを挿入するキー挿入凹部に開放されるタンブラ収容孔内にピン状のタンブラを収容したプラグをシリンダケース内に挿入してなり、前記タンブラ上に積層されてプラグに保持されるコード変更体をプラグとシリンダケースとの回転境界に凹設された変更体格納凹部に移動させて解錠コードを変更するコード可変シリンダ錠であって、
前記タンブラは、キー挿入凹部のタンブラ収容孔開放壁面に一端が位置した際に他端がタンブラ収容孔内に位置する長さに形成され、
コード変更後、解錠キーに組み込まれ、前記キー挿入凹部を通過可能で、かつ、前記タンブラの移動方向に移動自在なタンブラ駆動体により一端がシリンダケースの回転境界に位置する解錠位置に駆動されるコード可変シリンダ錠。
【請求項２】
キー挿入凹部内に進退自在なピン状のタンブラを保持したプラグをシリンダケース内に挿入したシリンダ錠と、
キー挿入凹部内に挿入される解錠キーとを有し、
前記タンブラに積層されてプラグ内に保持されるコード変更体をプラグとシリンダケースとの回転境界に凹設された変更体格納凹部に移動させて解錠コードを変更するシリンダ錠装置であって、
前記タンブラは、キー挿入凹部のタンブラ収容孔開放壁面に一端が位置した際に他端がタンブラ収容孔内に位置する長さに形成されるとともに、
解錠キーには、前記キー挿入凹部内を通過可能で、かつ、前記タンブラをシリンダケース側に押し出し可能なタンブラ駆動体を移動自在に保持したシリンダ錠装置。
【請求項３】
前記タンブラ駆動体は解錠キーの表裏面方向に開口される装着孔に装着されるとともに、
プラグには、前記タンブラ駆動体を反対方向に排斥して前記タンブラをシリンダケース側に押し出す第２タンブラが装着される請求項２記載のシリンダ錠装置。
【請求項４】
前記第２タンブラ上に前記コード変更体が変更体格納凹部に格納可能に積層され、
該コード変更体の位置変更により解錠コードの変更が可能な請求項３記載のシリンダ錠装置。
【請求項５】
前記タンブラ駆動体は圧縮スプリングにより飛び出し方向に付勢されて有底の装着孔内に移動自在に収容される請求項２記載のシリンダ錠装置。
【発明の詳細な説明】
【技術分野】
【０００１】
本発明は、コード可変シリンダ錠に関するものである。
【背景技術】
【０００２】
解錠コードを変更可能なシリンダ錠としては、特許文献１に記載されたものが知られている。この従来例において、シリンダ錠は、プラグ内のタンブラとシリンダケース側のドライブピンとの間に介装される保持杆（コード変更体）を有し、この保持杆をプラグの外周壁に形成される収容溝（変更体格納凹部）に移動させることにより解錠コードを変更することができる。
【特許文献１】特許第３１０１６７８号公報
【発明の開示】
【発明が解決しようとする課題】
【０００３】
この種シリンダ錠は、プラグ内にコード変更体を保持した状態で使用される解錠キーと、コード変更体を変更体格納凹部内に移動させた状態で使用される解錠キーとは異なるために、これを利用して、シリンダ錠の状態に対応した解錠キーを異なった錠操作者に与える運用がなされることがある。
【０００４】
例えば、家屋の新築に際し、コード変更前のシリンダ錠に対応する解錠キーを工事業者に与えて自由に室内への出入りを可能にしておき、工事終了後にコード変更すると、工事終了後にシリンダ錠を交換することなく工事業者の所持する解錠キーでの解錠を不可能にすることができる。
【０００５】
しかし、上述した従来例において、コード変更前後の解錠キーは、該当タンブラを操作するためのコード形成凹部の深さにコード変更体の厚さ寸法相当分だけ差があるだけであるために、例えば、工事業者用として設定した解錠キーのコード形成凹部の深さを浅くすることによりコード変更後のシリンダ錠への操作が可能とすることを完全に防止できない。
【０００６】
本発明は、以上の欠点を解消すべくなされたものであって、コード変更前後での解錠キーの互換性付与を不可能にすることにより防犯性能を高めたコード可変シリンダ錠の提供を目的とする。また、本発明の他の目的は、上記コード可変シリンダ錠を使用したシリンダ錠装置の提供にある。
【課題を解決するための手段】
【０００７】
本発明によれば上記目的は、
解錠キー１を挿入するキー挿入凹部２に開放されるタンブラ収容孔３内にピン状のタンブラ４を収容したプラグ５をシリンダケース６内に挿入してなり、前記タンブラ４上に積層されてプラグ５に保持されるコード変更体７をプラグ５とシリンダケース６との回転境界に凹設された変更体格納凹部８に移動させて解錠コードを変更するコード可変シリンダ錠１０であって、
前記タンブラ４は、キー挿入凹部２のタンブラ収容孔３開放壁面に一端が位置した際に他端がタンブラ収容孔３内に位置する長さに形成され、
コード変更後、解錠キー１に組み込まれ、前記キー挿入凹部２を通過可能で、かつ、前記タンブラ４の移動方向に移動自在なタンブラ駆動体９により一端がシリンダケース６の回転境界に位置する解錠位置に駆動されるコード可変シリンダ錠１０を提供することにより達成される。
【０００８】
コード可変シリンダ錠１０は、適数のタンブラ４を保持したプラグ５をシリンダケース６内に挿入して形成される。プラグ５のキー挿入凹部２に解錠キー１を挿入すると、タンブラ４は解錠キー１に形成される解錠コード形成凹部１ａにより一義的に決定されるプラグ５内の位置に移動する。解錠コード形成凹部１ａがシリンダ錠１０に適合していると、タンブラ４の一端がシリンダケース６との回転境界１ｂ上に位置し、以後プラグ５への回転操作が許容される。
【０００９】
コード変更体７をタンブラ４上に積み重ねてプラグ５内に保持した状態で、プラグ５はコード変更体７の上下端のいずれかががシリンダケース６との回転境界１ｂに位置すると回転可能であり、この状態からコード変更体７をタンブラ４への積層位置から変更体格納凹部８に移動させると、以後、プラグ５は、タンブラ４の一端がシリンダケース６との回転境界１ｂに位置したときにだけ回転可能になる。
【００１０】
変更体格納凹部８は、後に実施の形態において示すように、プラグ５外周上に形成する以外に、シリンダケース６内周に形成することもできる。この場合、シリンダ錠１０には、コード変更体７と変更体格納凹部８との正対位置に解錠キー抜き差し可能位置が新たに設置され、コード変更体７の変更体格納凹部８への移動は、一旦、プラグ５を上記解錠キー抜き差し可能位置まで回転させた後、当該位置で解錠キー１を交換し、コード変更体７を変更体格納凹部８内に押し込んだ後、初期施錠回転位置に戻すことにより行うことができる。
【００１１】
一方、タンブラ４は、キー挿入凹部２のタンブラ収容孔３開放壁面に一端が位置した際に他端がタンブラ収容孔３内に位置する長さに形成されているために、コード変更体７が変更体格納凹部８に移動した後では、キー挿入凹部２の断面形状に一致する断面形状を有する解錠キー１を挿入しても、一端をプラグ５とシリンダケース６との回転境界１ｂに位置させることができない。タンブラ４の一端を上記回転境界１ｂに位置させてプラグ５を回転可能にするためには、キー挿入凹部２の壁面を超えてタンブラ収容孔３内に侵入してタンブラ４を押し出す必要があり、かかる解錠キー１はそもそもキー挿入凹部２に挿入することができないために、変更前に使用可能な解錠キー１のコード形成凹部を埋めただけではコード変更後のシリンダ錠１０に対する操作を行うことができない。
【００１２】
これに対し、本シリンダ錠１０のために使用される解錠キー１には、キー挿入凹部２を通過可能で、かつ、タンブラ４の移動方向に移動自在なタンブラ駆動体９が組み込まれる。解錠キー１の挿入によりタンブラ駆動体９はタンブラ４との対峙位置に移動し、次いで、適宜手段によりタンブラ収容孔３内に移動させると、タンブラ４の一端を上記回転境界１ｂに位置させてプラグ５を回転可能にすることができる。
【００１３】
タンブラ駆動体９の駆動は、シリンダ錠１０に組み込んだ第２タンブラ１２を使用することにより、あるいはタンブラ駆動体９に組み込んだ圧縮スプリング１３等の付勢手段を使用して行うことができる。第２タンブラ１２は、キー挿入凹部２のタンブラ収容孔３が開口する側の壁面に対向する壁面に開放される第２タンブラ収容孔３内に収容され、キー挿入凹部２内への飛び出し方向に付勢される。第２タンブラ１２の付勢は、実施の形態に示されるように、シリンダケース６に配置されたドライブピン１４によるものであっても、あるいは、有底に形成される第２タンブラ収容孔３内に収容される圧縮スプリングによるものであってもよい。
【００１４】
また、タンブラ駆動体９を上記タンブラ４の押し出し方向に付勢して解錠キー１に組み込んだ場合には、第２タンブラ１２の存在なしにタンブラ４に駆動力を付与することができる。
【００１５】
さらに、コード変更後においてタンブラ４とタンブラ駆動体９との境界がタンブラ収容孔３内に設定される本発明は以下の利点を有する。すなわち、コード変更はコード変更体７によりタンブラ４の実効長を調整して行われるもので、従来例に示すように、タンブラ駆動体９を有しない解錠キー１によりコード変更前後の操作を行う場合には、タンブラ４実効長の差、すなわち、コード変更体７の厚さは、解錠キー１の板厚に制限され、大きな寸法を採ることができない。
【００１６】
これに対し、コード変更後においてタンブラ４とタンブラ駆動体９との境界がタンブラ収容孔３内に進入して解錠状態となる本発明においては、タンブラ４の実効長差を大きく取ることができる。この結果、例えば、この実効長差内に複数のコード変更体７を配置していわゆるグランドマスターキーシステムを構成したり、あるいは複数種のコード変更をすることが可能になる。
【発明の効果】
【００１７】
本発明によれば、コード変更前後での解錠キーの互換性付与を不可能にすることにより防犯性能を高めることができる。
【発明を実施するための最良の形態】
【００１８】
図１、２に家屋の玄関錠に使用されるシリンダ錠として構成された本発明の実施の形態を示す。玄関錠は、シリンダケース６内にプラグ５を挿入したシリンダ錠１０と、図外の箱錠等の施錠装置とから構成される。シリンダケース６には、玄関扉に開設される取付孔を覆うために、スプリング１５により玄関扉の表面側に付勢されるカバー１６が装着され、プラグ５の後端には、施錠装置に連結される連結子１７が固定される。
【００１９】
プラグ５は長手通しに後述するガイド凹溝１ｃに対応するガイド突条２ａを備えて解錠キー１の一般断面部が挿通可能なキー挿入凹部２を備え、キー挿入凹部２に一端が開放されるタンブラ収容孔３内にタンブラ４が適宜ピッチでプラグ５の長手方向に並べられる。
【００２０】
解錠キー１は、図２（ｂ）に示すように、幅広面に２条のガイド凹溝１ｃを備えたほぼ矩形状の一般断面を有する板状部材により形成され、一端に図示しない操作用頭部が形成される。また、キー挿入凹部２に挿入した際にプラグ５に対応する部位には、解錠コード形成凹部１ａが形成される。この解錠キー１は、上下反転姿勢で上記キー挿入凹部２に挿入することができるように、点対称断面形状に形成される。
【００２１】
プラグ５を保持するシリンダケース６には、ドライバ収容孔６ａが開設され、ドライブピン１４が装着される。ドライブピン１４は、図１、２に示すように、プラグ５が初期回転位置にあるとき、プラグ５に装着される各タンブラ４に正対する。このドライブピン１４は、圧縮スプリング１４ａによりプラグ５側に付勢されており、初期回転位置においてタンブラ４は一端がキー挿入凹部２内に飛び出す方向に付勢される。
【００２２】
図１、２に示すように、解錠キー１を挿入しない状態において、プラグ５とシリンダケース６との回転境界１ｂにはドライブピン１４が入り込み、プラグ５のシリンダケース６に対する回転が禁止され、施錠状態となる。この状態から解錠キー１を挿入すると、タンブラ４は図３に示すように、一端が解錠コード形成凹部１ａの深さにより決定される位置まで移動し、挿入された解錠キー１が真正であるならば、プラグ５とドライブピン１４との境界がプラグ５の回転境界１ｂに一致し、プラグ５が回転可能になる（解錠状態）。
【００２３】
シリンダ錠１０は、上述したように、タンブラ４とドライブピン１４との組み合わせにより解錠コードが予め一種類に決定されている一般部に加え、解錠コードの変更が可能なコード可変部を有する。
【００２４】
この実施の形態においてコード可変部は、プラグ５最後尾に配置され、キー挿入凹部２の幅広面からキー挿入凹部２内に進退するタンブラ４と、このタンブラ４に対向して配置される第２タンブラ１２と、円板形状のコード変更体７とを有して構成される。タンブラ４および第２タンブラ１２はシリンダケース６側のドライブピン１４によりプラグ５中心方向に付勢されており、第２タンブラ１２を付勢する圧縮スプリング１４ａのスプリング力は、タンブラ４を付勢する圧縮スプリング１４ａのものより大きく設定される。
【００２５】
コード変更体７は、タンブラ４とドライブピン１４、および第２タンブラ１２とドライブピン１４との境界に配置され、プラグ５の外周には、このコード変更体７が嵌合可能な変更体格納凹部８が形成される。変更体格納凹部８は、プラグ５を所定角度（この実施の形態では４５°）回転させた際にドライブピン１４と正対する位置に設けられ、図４（ｃ）に示すように、嵌合したコード変更体７がプラグ５の外周から突出しない深さに形成される。
【００２６】
以上のように構成されるシリンダ錠１０の動作を、新築家屋の玄関錠として使用された場合を例にとって説明する。まず、図１、２に示すように、タンブラ４、第２タンブラ１２、およびコード変更体７は、プラグ５内に解錠キー１が挿入されない状態において、一般部と同様に、ドライブピン１４がプラグ５の回転境界１ｂを塞いでおり、プラグ５の回転が規制される。
【００２７】
一方、工事関係者には図３に示す解錠キー１が第１次キーとして支給される。この第１次キーは、プラグ５への挿入時に、一般部のタンブラ４とドライブピン１４との境界がプラグ５の回転境界１ｂに一致し、かつ、コード可変部では、各コード変更体７とドライブピン１４との境界がプラグ５の回転境界１ｂに一致する解錠コード形成凹部１ａを有しており、工事関係者はこの第１次キーを利用して自由に施解錠操作を行うことができる。
【００２８】
第１次キー利用者による工事が終了し、家屋が引き渡される際に、家主には、図４に示す解錠キー１が最終キーとして渡される。この最終キーは、一般部は上記第１次キーと同一に形成され、コード可変部には、解錠コード形成凹部１ａに代えて、タンブラ駆動体９が組み込まれる。
【００２９】
タンブラ駆動体９は、図４（ｂ）に示すように、ガイド突部９ｂを備えた底部個片９ａと、ガイド突部９ｂが摺動自在に挿入されるガイド凹部９ｃを備えた頭部個片９ｄを積層して形成され、圧縮スプリング９ｅにより離隔方向に付勢される。タンブラ駆動体９は、頭部個片９ｄと底部個片９ａとが接触した状態でプラグ５のキー挿入凹部２を通過可能な高さに形成される。
【００３０】
上記タンブラ駆動体９を収容する解錠キー１側の装着孔１１は、解錠キー１の板厚方向に貫通しており、頭部個片９ｄに対応する開放端が縮径されるとともに、底部個片９ａ対応側開放端がカシメ加工されてタンブラ駆動体９の脱落が規制される。タンブラ駆動体９を装着孔１１に収容した状態で頭部個片９ｄと底部個片９ａとは、各々圧縮スプリング９ｅの付勢力により装着孔１１の開放端周縁に圧接し、装着孔１１内への塵埃の侵入を防止する。
【００３１】
以上のように構成される解錠キー１をプラグ５に挿入すると、図４（ａ）に示すように、底部個片９ａが第２タンブラ１２に、頭部個片９ｄがタンブラ４に対応する。上述したように、第２タンブラ１２を付勢する圧縮スプリング１４ａのばね力の方がタンブラ４側の圧縮スプリング１４ａのばね力（正確には、タンブラ４側の圧縮スプリング１４ａのばね力とタンブラ駆動体９内の圧縮スプリング９ｅのばね力の和）より大きなために、タンブラ駆動体９は、底部個片９ａと頭部個片９ｄとが相互に当接した状態で頭部個片９ｄが装着孔１１の縮径端に押し付けられるまで押し上げられる。
【００３２】
タンブラ４と第２タンブラ１２とは、この状態でシリンダケース６とプラグ５の回転境界１ｂに位置する長さに設定されているために、当該最終キーの挿入によりプラグ５を回転操作することができる。プラグ５の回転により、コード変更体７はドライバ収容孔６ａ内に取り残され、図４（ｃ）に示すように、コード変更体７が変更体格納凹部８に正対する位置までプラグ５が回転すると、コード変更体７はドライブピン１４に押し出されて変更体格納凹部８に落ち込む。
【００３３】
この状態からプラグ５を再び初期位置まで回転させると、図５（ａ）に示すように、各コード変更体７は対応する変更体格納凹部８に取り残される。この状態で最終キーを抜去すると、ドライブピン１４がプラグ５のタンブラ収容孔３内に進入してプラグ５の回転境界１ｂを閉塞し、施錠状態となる。
【００３４】
また、この状態で上記第１次キーを挿入しても、図５（ｂ）に示すように、プラグ５の回転境界１ｂがドライブピン１４により閉塞され、施錠状態を解除することはできない。さらに、図４（ａ）に示すように、最終キーのタンブラ駆動体９は、タンブラ４の一端を解錠キー１の輪郭、正確にはガイド凹溝１ｃの表面よりδだけ上方に押し上げることにより他端をプラグ５の回転境界１ｂに位置させている。このため、図５（ｂ）に示す第１次キーの解錠コード形成凹部１ａを改変して上記タンブラ４を正規位置に位置させるためには、解錠キー１の一般断面形状を超えた肉盛りが必要となるが、この場合には解錠キー１をキー挿入凹部２に挿入させることができなくなり、結果、第１次キーを利用したシリンダ錠１０の不正解錠操作は完全に遮断される。
【００３５】
さらに、この実施の形態において、第２タンブラ１２に積層されるコード変更体７を利用した第２次キーが設定される。第２次キーの解錠コード形成凹部１ａは、図６に示すように、タンブラ４側ではコード変更体７とドライブピン１４との境界を、第２タンブラ１２側では第２タンブラ１２とコード変更体７との境界を、プラグ５の回転境界１ｂに位置させるまでタンブラ４および第２タンブラ１２を移動させる深さに形成される。
【００３６】
この状態からプラグ５を回転させると、第２タンブラ１２側のコード変更体７は、対応する変更体格納凹部８に落ち込む。この後、再び初期位置まで復帰させて第２次キーを抜去すると、図７（ａ）に示すように、ドライブピン１４がプラグ５内に進入し、施錠状態となる。この施錠状態からいままで使用してきた第１次キーを挿入しても、図７（ｂ）に示すように、第２タンブラ１２側のドライブピン１４がプラグ５の回転境界１ｂを閉塞するために、プラグ５を回転させることができない。
【００３７】
さらに、第２次キーにより解錠可能な状態で最終キーを挿入すると、プラグ５内に留まっていたタンブラ４側のコード変更体７はドライバ収容孔６ａ側に押し出される。この後、プラグ５を回転させると、上記コード変更体７も変更体格納凹部８内に移動した図５（ａ）の状態となってコード変更がなされる。
【００３８】
コード変更後、上記第２次キーを挿入しても、図７（ｃ）に示すように、タンブラ４側のドライブピン１４によりプラグ５の回転境界１ｂが閉塞されるために、施錠状態が維持され、以後、最終キーでのみ解錠操作を行うことができるようになる。
【００３９】
なお、以上において、タンブラ駆動体９は、頭部個片９ｄと底部個片９ａとを全体として伸縮可能に連結して形成した場合を示したが、寸法が不変な一体の球体、あるいは円柱体等として形成することも可能である。
【００４０】
図８に本発明の他の実施の形態を示す。なお、この実施の形態の説明において、上述した実施の形態と実質的に同一の構成要素は、図中に同一符号を付して説明を省略する。
【００４１】
この実施の形態は、上述した実施の形態において必須であった第２タンブラ１２を廃止したもので、タンブラ駆動体９は底板１ｄにより底部が閉塞された装着孔１１に移動自在に収容される。タンブラ駆動体９は、底板１ｄとの間に介装される圧縮スプリング１３によりタンブラ４側に付勢される。装着孔１１内に収容される圧縮スプリング１３のばね力は、タンブラ４側のドライブピン１４を付勢する圧縮スプリング１４のばね力に比して大きく設定されており、タンブラ駆動体９に正対したタンブラ４は、図８（ａ）、（ｂ）に示すように、タンブラ駆動体９が装着孔１１の縮径部に当接する位置まで押し上げられる。
【００４２】
したがってこの実施の形態において、図８（ａ）、（ｂ）に示す状態からプラグ５を回転させてタンブラ４上に積層されたコード変更体７を変更体格納凹部８に移動させることによりコード変更動作がなされる。
【００４３】
また、この実施の形態において、上記実施の形態において第２タンブラ１２として利用されたタンブラ４は、第２次キー設定用の第３タンブラ１８として利用される。この第３タンブラ１８は、図３（ａ）に示すように、コード変更体７を積層した状態で第１次キーを挿入した際に、コード変更体７とドライブピン１４との境界がプラグ５の回転境界１ｂに一致する長さに設定され、第１次キーを使用した解錠操作が許容される。
【００４４】
これに対し、第２次キーは、図６に示すように、第３タンブラ１８とコード変更体７の境界がプラグ５の回転境界１ｂに一致する解錠コード形成凹部１ａを有しており、この第２次キーを使用してプラグ５を回転させると、上述したように、第１次キーによる解錠操作が不可能となる。
【００４５】
次いで、最終キーを使用してプラグ５を回転させると、図８（ｃ）に示すように、第３タンブラ１８側のコード変更体７が変更体格納凹部８に移動し、以後、解錠操作が可能な解錠キー１は、最終キーに限定される。
【図面の簡単な説明】
【００４６】
【図１】本発明を示す断面図である。
【図２】シリンダ錠装置を示す図で、（ａ）は図１の２Ａ-２Ａ線断面図、（ｂ）は解錠キーの一般断面部の断面図、（ｃ）は解錠コード形成凹部を示す断面図である。
【図３】第１次キーを挿入した状態を示す図で、（ａ）は図２（ａ）に対応する図、（ｂ）は図１に対応する図である。
【図４】最終キーを挿入した状態を示す図で、（ａ）は初期回転位置を示す図２（ａ）に対応する図、（ｂ）はタンブラ駆動体を示す断面図、（ｃ）はコード変更操作途中を示す断面図である。
【図５】コード変更完了状態を示す図で、（ａ）は解錠キーを抜去した状態を示す図、（ｂ）は第１次キーを挿入した状態を示す図である。
【図６】第２次キーを挿入した状態を示す図で、（ａ）は図２（ａ）に対応する図、（ｂ）は図１に対応する図である。
【図７】コード変更完了を示す図で、（ａ）は第２次キーでコード変更後に解錠キーを抜去した状態を示す図、（ｂ）は第２次キーでコード変更後に第１次キーを挿入した状態を示す図、（ｃ）はさらに最終キーでコード変更後に第２次キーを挿入した状態を示す図である。
【図８】本発明の他の実施の形態を示す図で、（ａ）は図２（ａ）に対応する図、（ｂ）は図１に対応する図、（ｃ）はコード変更完了状態を示す図である。
【符号の説明】
【００４７】
１        解錠キー
２        キー挿入凹部
３        タンブラ収容孔
４        タンブラ
５        プラグ
６        シリンダケース
７        コード変更体
８        変更体格納凹部
９        タンブラ駆動体
１０      シリンダ錠
１１      装着孔
１２      第２タンブラ
１３      圧縮スプリング
【図１】
2007270543.tif 000003
【図２】
2007270543.tif 000004
【図３】
2007270543.tif 000005
【図４】
2007270543.tif 000006
【図５】
2007270543.tif 000007
【図６】
2007270543.tif 000008
【図７】
2007270543.tif 000009
【図８】
2007270543.tif 000010